(57)【要約】【課題】  光学機器において非撮影時にレンズ鏡筒をコンパクトに収納することを目的とする。【解決手段】  非撮影時に絞り駆動風車が第２の部材に係合し、絞りをオープン〜クローズの動作をすることによってレンズ移動枠を光軸から外に移動させ、そのあと更に沈胴することによって沈胴時の全長を短くする。【選択図】  図１
2006039373.tif 000002
【特許請求の範囲】
【請求項１】
撮影領域では光学機器内部の光量調節装置の光量調節駆動レバーもしくは該駆動レバーと連結された部材が回転ギアと非係合状態にあり、絞り撮影領域から沈胴領域に入るとまず、該駆動レバーもしくは該絞り駆動レバーと連結された部材が回転ギアと係合し、かつ、回転ギアはレンズを保持するレンズ移動枠と係合し、係合後、光量調節動作で、該回転ギアが回転され、該回転ギアと係合しているレンズ移動枠が光軸から退避し、沈胴が完了するという特徴をもつ光学機器。
【請求項２】
撮影領域では光学機器内部の光量調節装置の光量調節駆動レバーもしくは該駆動レバーと連結された部材がレンズスライド部材と非嵌合状態にあり、絞り撮影領域から沈胴領域に入るとまず、該駆動レバーもしくは該絞り駆動レバーと連結された部材がスライド部材と嵌合し、嵌合後、光量調節動作で、該スライド部材が駆動され、該スライド部材はレンズを保持するレンズ移動枠と当接しレンズ移動枠が光軸から退避し、沈胴が完了するという特徴をもつ光学機器。
【発明の詳細な説明】
【技術分野】
【０００１】
本発明は、ビデオカメラ、カメラ等の光学機器に関するものである。
【背景技術】
【０００２】
カメラやビデオカメラ等の光学機器において、撮影レンズを保持するレンズ鏡筒がカメラ本体の前面より突出している光学機器が多数あるが、その光学機器の携帯性を向上させるために、不使用時にレンズ鏡筒を光学機器筐体内に退避収納させる、いわゆる沈胴と称される構成がしばしば用いられている。撮影レンズをズームレンズにすると、レンズ枚数が増加するので、全てのレンズをカメラ本体の厚みの中に沈胴させることは困難である。そのため、例えば特許文献１にはレンズ群を、独立した駆動手段で光軸方向と垂直方向に退避させる構成をとっている。
【特許文献１】特開２００３−１４９７２３号公報
【発明の開示】
【発明が解決しようとする課題】
【０００３】
前述のようにズームレンズは枚数が多いため、全てのレンズをカメラ本体の厚みの中に沈胴させることは困難であり、特許文献１の構成だとレンズ群を光軸方向と垂直方向に退避させ、その空いたスペースに他のレンズ群を移動させるため、沈胴時の光軸方向の厚みを薄くすることができる。しかしこの構成においては独立した駆動手段でレンズ群を光軸方向と垂直方向に退避させるので、その駆動手段のスペースが必要となり光学機器として大型化してしまうという問題があった。
【課題を解決するための手段】
【０００４】
上記問題を解決するため、本出願に係る第１の発明は、撮影領域では光学機器内部の光量調節装置の光量調節駆動レバーもしくは該駆動レバーと連結された部材がレンズスライド部材と非係合状態にあり、絞り撮影領域から沈胴領域に入るとまず、該駆動レバーもしくは該絞り駆動レバーと連結された部材がスライド部材と係合し、かつ、スライド部材はレンズを保持するレンズ移動枠と係合し、係合後、光量調節動作で、該スライド部材が駆動され、該スライド部材と係合しているレンズ移動枠が光軸から退避し、沈胴が完了するということを特徴とする。
【０００５】
上記構成により、絞り駆動レバーの駆動力を用いてレンズ移動枠が光軸から退避するため、レンズを退避させる為の独立した駆動手段を光学機器内部に配置する必要が無い為、光学機器の小型化に寄与する。
【０００６】
本出願に係る第２の発明は、撮影領域では光学機器内部の光量調節装置の光量調節駆動レバーもしくは該駆動レバーと連結された部材がレンズスライド部材と非嵌合状態にあり、絞り撮影領域から沈胴領域に入るとまず、該駆動レバーもしくは該絞り駆動レバーと連結された部材がスライド部材と嵌合し、嵌合後、光量調節動作で、該スライド部材が駆動され、該スライド部材はレンズを保持するレンズ移動枠と当接しレンズ移動枠が光軸から退避し、沈胴が完了することを特徴とする。
【０００７】
上記構成により、レンズを退避させる為の独立した駆動手段を光学機器内部に配置する必要が無い為、光学機器の小型化に寄与する。また、スライド部材と駆動レバーに面取りを設けることにより、両者の位置をある程度ラフに設定することができる。
【発明の効果】
【０００８】
請求項１に記載の説明によれば、撮影領域では光学機器内部の光量調節装置の光量調節駆動レバーもしくは該駆動レバーと連結された部材が回転ギアと非係合状態にあり、絞り撮影領域から沈胴領域に入るとまず、該駆動レバーもしくは該絞り駆動レバーと連結された部材が回転ギアと係合し、かつ、回転ギアはレンズを保持するレンズ移動枠と係合し、係合後、光量調節動作で、該回転ギアが回転され、該回転ギアと係合しているレンズ移動枠が光軸から退避し、沈胴が完了するという特徴とするため、絞り駆動レバーの駆動力を用いてレンズ移動枠が光軸から退避する。よってレンズを退避させる為の独立した駆動手段を光学機器内部に配置する必要が無い為、光学機器の小型化に寄与する。
【０００９】
請求項２に記載の説明によれば、撮影領域では光学機器内部の光量調節装置の光量調節駆動レバーもしくは該駆動レバーと連結された部材がレンズスライド部材と非嵌合状態にあり、絞り撮影領域から沈胴領域に入るとまず、該駆動レバーもしくは該絞り駆動レバーと連結された部材がスラ イド部材と嵌合し、嵌合後、光量調節動作で、該スライド部材が駆動され、該スライド部材はレンズを保持するレンズ移動枠と当接し、レンズ移動枠が光軸から退避し、沈胴が完了するという特徴をもつため、絞り駆動レバーの駆動力を用いてレンズ移動枠が光軸から退避する。よってレンズを退避させる為の独立した駆動手段を光学機器内部に配置する必要が無い為、光学機器の小型化に寄与する。また、スライド部材と駆動レバーに面取りを設けることにより、両者の位置をある程度ラフに設定することができる。
【発明を実施するための最良の形態】
【００１０】
以下に本発明の光学機器に関する３種の実施例を図面を使って説明する。
【００１１】
（第１の実施の形態）
図１は本実施形態で説明するカメラ全体図を表す図である。本カメラは本体部Ｂとレンズ鏡筒部Ｌから成り、レンズ鏡筒部Ｌの詳細を図２以降の図で説明する。
【００１２】
図２、図３は本発明を凹凸凸の３群構成の変倍光学系を有するレンズ鏡筒に適用した場合の説明図であり、図２は使用状態（繰り出し状態）を表し、図２は収納状態（沈胴状態）を表す図である。Ｌ１は第１レンズ群、Ｌ２は光軸方向に移動することにより変倍動作を行なう第２レンズ群、Ｌ３は光軸方向に移動する事により合焦動作を行なう第３レンズ群である。Ｌ４はローパスフィルター（ＬＰＦ）である。
【００１３】
１は前キャップ、２は飾り名版、３は１群鏡筒、４はバリア、５は、第二カム環、６は、第二直進キー、７は、第一カム環、８は、内径にカム溝を有する固定鏡筒、９は、第一直進キー、１０は、光量調節装置、１１は、２群鏡筒、１２は３群鏡筒、１３は、ＣＣＤホルダー、１４は、ＣＣＤである。
【００１４】
図２は、通常撮影状態で、１群鏡筒３に保持された１群レンズＬ１と、２群鏡筒１１に保持された２群レンズＬ２が、所定の間隔で配置され、ズーム位置が設定される。３群鏡筒１２に保持された３群レンズＬ３が、光軸方向に移動する事により、フォーカシング動作が行われる。光量調整として光量調節装置１０により、絞り径の設定と、シャッター動作が行われ、ピント面に結像した像をＣＣＤ１４にて、電気信号に変換され、デジタル画像が形成される。
【００１５】
光量調節装置１０は、開放や、中間絞りの位置から、閉じきる事により、絞り機能とシャッター機能を兼用している。専用の絞り羽根と、シャッター羽根を別に用意しても、同じで有る。
【００１６】
図３は、沈胴状態の撮影鏡筒の断面図で、２群鏡筒１１が、光軸と異なる位置に退避している。最終的に沈胴が完了すると、第２レンズ群Ｌ２を保持する２群鏡筒１１は光軸から外れ、ローパスフィルターＬ４の外側に位置する。これによって、本光学機器の不使用時には鏡筒全長を短縮させることが出来、カメラ等をコンパクトにまとめることが出来る。
【００１７】
光量調節装置１０は６枚の絞り羽根を光軸に対して垂直に移動させて開口径を変化させるいわゆる虹彩絞りである。光量調節装置１０は第２レンズ群Ｌ２を保持する移動枠１１を保持している。光量調節装置１０と２群鏡筒１１は光軸方向には同時に動く。但し、２群鏡筒１１は光量調節装置１０に対して光軸と垂直方向に独立して動く。
【００１８】
以下に、前述の光量調節装置１０と２群鏡筒１１の移動方法の詳細について、図４〜図９を用いて述べる。図４〜図６は撮像面側から見た斜視図であり、図４はカメラ通常使用時における光量調節装置１０と２群鏡筒１１の関係を示す図であり、図５はレンズ鏡筒を収納する際の中間段階、図６は最終のレンズ収納状態である。図７〜図９も同様にして、図７はカメラ通常使用時における光量調節装置１０と２群鏡筒１１の関係を示す図、図８はレンズ鏡筒を収納する際の中間段階、図９は最終のレンズ収納状態である。但し、図７〜図９は光量調節装置１０のベース部材１０ｂを表示せず、第１レンズ群Ｌ１側から見た斜視図である。
【００１９】
１０ａは絞り駆動アクチュエータであり、その回転力はまず第1ギア１０ｆに伝えられる。第１ギア１０ｆは風車１０ｅと係合している。風車１０ｅは光軸を中心に回転し、６箇所のピン１０ｅ１がある。その６箇所のピン１０ｅ１には絞り羽根１０ｇの長穴部１０ｇ２が嵌合している。絞り羽根１０ｇの丸穴部１０ｇ１は不図示の絞り地板のピンと嵌合している。よって、風車１０ｅが回転すると、６枚の絞り羽根１０ｇが丸穴部１０ｇ１を回転中心として回転し、絞りの開閉動作が行われる。
【００２０】
また、絞りユニットには２本のガイドバー１０ｃが固定されており、ガイドバーには２群鏡筒１１のスリーブ部１１ａ、Ｕ溝部１１ｂと嵌合しており、光軸方向と垂直方向に移動可能に２群鏡筒１１が挿入されている。通常使用時は付勢バネ１０ｄによって２群鏡筒１１が一方向に付勢されており、それによって第２レンズ群Ｌ２の光軸はレンズ全系の光軸と同軸の位置となるように設定されている。２群鏡筒１１のスリーブ部１１ａにはギア１１ａ１が形成されている。
【００２１】
通常状態から収納状態に移るときはまず、絞りの状態をクローズ側にし、２群鏡筒１１とともに絞りユニット１０が光軸方向の撮像面側に移動する。不図示の後部鏡筒１３には回転可能に取り付けられたギア１３ａがあり、絞りユニット１０が撮像面側に移動すると風車１０ｅのギア部１０ｅ２、及び、２群鏡筒１１のギア部１１ａ１に後部鏡筒側のギア１３ａが係合する。その係合した状態で絞りの状態をクローズ側からオープン側にする際に風車１０ｅの回転力が後部鏡筒側のギア１３ａに伝わり、更に２群鏡筒１１のギア部１１ａ１に伝えられる。それによってレンズ２群鏡筒１１はガイドバー１０ｃに沿って光軸方向と垂直方向に移動する。絞りをクローズ状態にすることにより、２群鏡筒１１の光軸方向への移動が完了すると、さらに絞りユニット１０を撮像面方向に移動させることにより、後部鏡筒のローパスフィルター横の空間に２群鏡筒１１を収納させることができ、沈胴時のレンズ鏡筒全長を短くすることが出来る。
【００２２】
この実施形態によると、最終的に２群鏡筒１１を光軸方向と垂直に移動させる駆動アクチュエータは通常使用時は絞り駆動手段として用いられるため、２群鏡筒１１を独立して動かす為の別アクチュエータをレンズ鏡筒内に配置する必要が無く、レンズ鏡筒全体の大きさをコンパクトにすることが出来る。
【００２３】
なお本実施形態では絞りをクローズ状態にした後、風車１０ｅと後部鏡筒側ギア１３ａとが係合して２群鏡筒１１が退避し、沈胴が始まる形態であるが、２群鏡筒１１の移動方向を逆にしてオープン状態で風車１０ｅと後部鏡筒ギア１３ａが係合し、その後クローズ状態にすることによってレンズが光軸と垂直方向に退避するという形態でも良い。
【００２４】
また本実施形態では光量調節装置９を6枚羽根を駆動する虹彩絞りとしているが、２枚羽根を駆動させるいわゆるギロチンタイプの絞りでその駆動レバーで２群鏡筒１１を光軸方向と垂直に駆動させる形態でもよい。また、虹彩絞り形態において、駆動アクチュエータが直結された第１ギア１０ｆが、直接後部鏡筒側のギア１３を回転させる構造でもよい。
【００２５】
（第２の実施の形態）
第２の実施の形態は鏡筒の基本構成は同じであるので説明を省略し、構成の異なる光量調節装置９と２群鏡筒１１について説明する。
【００２６】
以下に、前述の光量調節装置１０と２群鏡筒１１の移動方法の詳細について、図１０〜図１５を用いて述べる。図１０〜図１２は撮像面側から見た斜視図であり、図１０はカメラ通常使用時における光量調節装置１０と２群鏡筒１１の関係を示す図であり、図１１はレンズ鏡筒を収納する際の中間段階、図１２は最終のレンズ収納状態である。図１３〜図１５も同様にして、図１３はカメラ通常使用時における光量調節装置１０と２群鏡筒１１の関係を示す図、図１４はレンズ鏡筒を収納する際の中間段階、図１５は最終のレンズ収納状態である。但し、図１３〜図１５は光量調節装置１０のベース部材１０ｂを表示せず、第１レンズ群Ｌ１側から見た斜視図である。
【００２７】
１０ａは絞り駆動アクチュエータであり、その回転力はまず第1ギア１０ｆに伝えられる。第１ギア１０ｆは風車１０ｅと係合している。風車１０ｅは光軸を中心に回転し、６箇所のピン１０ｅ１がある。その６箇所のピン１０ｅ１には絞り羽根１０ｇの長穴部１０ｇ２が嵌合している。絞り羽根１０ｇの丸穴部１０ｇ１は不図示の絞り地板のピンと嵌合している。よって、風車１０ｅが回転すると、６枚の絞り羽根１０ｇが丸穴部１０ｇ１を回転中心として回転し、絞りの開閉動作が行われる。
【００２８】
また、絞りユニットには２本のガイドバー１０ｃが固定されており、ガイドバーには２群鏡筒１１のスリーブ部１１ａ、Ｕ溝部１１ｂと嵌合しており、光軸方向と垂直方向に移動可能に２群鏡筒１１が挿入されている。通常使用時は付勢バネ１０ｄによって２群鏡筒１１が一方向に付勢されており、それによって第２レンズ群Ｌ２の光軸はレンズ全系の光軸と同軸の位置となるように設定されている。２群鏡筒１１のスリーブ部１１ａには凸形状１１ａ２が形成されている。
【００２９】
通常状態から収納状態に移るときはまず、絞りの状態をクローズ側にし、２群鏡筒１１とともに絞りユニット１０が光軸方向の撮像面側に移動する。不図示の後部鏡筒１３には光軸と垂直方向のみ摺動可能に取り付けられたスライド部材１３ｂがある。スライド部材１３ｂは後部鏡筒に対して１３ｂ３方向にのみ移動可能な構造となっている。絞りユニット１０が撮像面側に移動すると風車１０ｅのピン部１０ｅ３がスライド部材１３ｂのＵ溝部１３ｂ１と嵌合する。それと同時に、スライド部材１３ｂの上端面部１３ｂ２は２群鏡筒１１の凸形状部１１ａ２と当接する。その状態から絞りの状態をクローズ側からオープン側にする際に風車１０ｅの回転力によって後部鏡筒のスライド部材１３ｂが１３ｂ３方向に移動され、レンズ２群鏡筒１１はガイドバー１０ｃに沿って光軸方向と垂直方向に移動する。絞りをクローズ状態にすることにより、２群鏡筒１１の光軸と垂直方向への移動が完了すると、さらに絞りユニット１０を光軸撮像面方向に移動させることにより、後部鏡筒のローパスフィルター横の空間に２群鏡筒１１を収納させることができ、沈胴時のレンズ鏡筒全長を短くすることが出来る。
【００３０】
この実施形態によると、最終的に２群鏡筒１１を光軸方向と垂直に移動させる駆動アクチュエータは通常使用時は絞り駆動手段として用いられるため、２群鏡筒１１を独立して動かす為の別アクチュエータをレンズ鏡筒内に配置する必要が無く、レンズ鏡筒全体の大きさをコンパクトにすることが出来る。また、風車１０ｅのピン部１０ｅ３の先端部、及び、スライド部材１３ｂのＵ溝部１３ｂ１にはそれぞれ面取り形状があり、両者の位置精度がある程度ラフでも沈動時にピン部１０ｅ３をＵ溝部１３ｂ１に嵌合させることが出来る。
【００３１】
なお本実施形態では絞りをクローズ状態にした後、風車１０ｅのピン部１０ｅ３と後部鏡筒側のスライド部材１３ｂとが嵌合して２群鏡筒１１が退避し、沈胴が始まる形態であるが、２群鏡筒１１の移動方向を逆にしてオープン状態で風車１０ｅとスライド部材１３ｂが嵌合し、その後クローズ状態にすることによってレンズが光軸と垂直方向に退避するという形態でも良い。
【００３２】
また本実施形態では光量調節装置９を6枚羽根を駆動する虹彩絞りとしているが、２枚羽根を駆動させるいわゆるギロチンタイプの絞りでその駆動レバーで２群鏡筒１１を光軸方向と垂直に駆動させる形態でもよい。また、虹彩絞り形態において、駆動アクチュエータが直結された第１ギア１０ｆが、直接後部鏡筒側のスライド部材１３ｂをスライドさせる構造でもよい。
【００３３】
（第３の実施の形態）
第３の実施の形態は鏡筒の基本構成は同じであるので説明を省略し、構成の異なる光量調節装置９と２群鏡筒１１について説明する。
【００３４】
以下に、前述の光量調節装置１０と２群鏡筒１１の移動方法の詳細について、図１６〜図２１を用いて述べる。図１６〜図１８は撮像面側から見た斜視図であり、図１６はカメラ通常使用時における光量調節装置１０と２群鏡筒１１の関係を示す図であり、図１７はレンズ鏡筒を収納する際の中間段階、図１８は最終のレンズ収納状態である。図１９〜図２１も同様にして、図１９はカメラ通常使用時における光量調節装置１０と２群鏡筒１１の関係を示す図、図２０はレンズ鏡筒を収納する際の中間段階、図２１は最終のレンズ収納状態である。但し、図１９〜図２１は光量調節装置１０のベース部材１０ｂを表示せず、第１レンズ群Ｌ１側から見た斜視図である。
【００３５】
１０ａは絞り駆動アクチュエータであり、その回転力はまず第1ギア１０ｆに伝えられる。第１ギア１０ｆは風車１０ｅと係合している。風車１０ｅは光軸を中心に回転し、６箇所のピン１０ｅ１がある。その６箇所のピン１０ｅ１には絞り羽根１０ｇの長穴部１０ｇ２が嵌合している。絞り羽根１０ｇの丸穴部１０ｇ１は不図示の絞り地板のピンと嵌合している。よって、風車１０ｅが回転すると、６枚の絞り羽根１０ｇが丸穴部１０ｇ１を回転中心として回転し、絞りの開閉動作が行われる。
【００３６】
また、絞りユニットには２本のガイドバー１０ｈ１、１０ｈ２が固定されており、ガイドバー１０ｈ２を回転中心として２群鏡筒１１が回転可能に取り付けられている。ガイドバー１０ｈ１は２群鏡筒１１のストッパーである。２群鏡筒１１にはねじりコイルバネ１０ｉの力によって通常撮影時は２群鏡筒１１は常にガイドバー１０ｈ１に当接しており、この位置に２群鏡筒が当たることによって２群鏡筒１１の光軸中心はレンズ全系の光軸中心と同軸となる。２群鏡筒１１の回転中心近傍には凸形状１１ｃが形成されている。
【００３７】
通常状態から収納状態に移るときはまず、絞りの状態をクローズ側にし、２群鏡筒１１とともに絞りユニット１０が光軸方向の撮像面側に移動する。不図示の後部鏡筒１３には光軸と垂直方向のみ摺動可能に取り付けられたスライド部材１３ｂがある。スライド部材１３ｂは後部鏡筒に対して１３ｂ３方向にのみ移動可能な構造となっている。絞りユニット１０が撮像面側に移動すると風車１０ｅのピン部１０ｅ３がスライド部材１３ｂのＵ溝部１３ｂ１と嵌合する。それと同時に、スライド部材１３ｂの上端面部１３ｂ２は２群鏡筒１１の凸形状部１１ｃと当接する。その状態から絞りの状態をクローズ側からオープン側にする際に風車１０ｅの回転力によって後部鏡筒のスライド部材１３ｂが１３ｂ３方向に移動され、レンズ２群鏡筒１１はガイドバー１０ｈ２を回転中心として光軸方向と垂直方向に回転する。絞りをクローズ状態にすることにより、２群鏡筒１１の光軸と垂直方向への回転が完了すると、さらに絞りユニット１０を光軸撮像面方向に移動させることにより、後部鏡筒のローパスフィルター横の空間に２群鏡筒１１を収納させることができ、沈胴時のレンズ鏡筒全長を短くすることが出来る。
【００３８】
この実施形態によると、最終的に２群鏡筒１１を光軸方向と垂直に移動させる駆動アクチュエータは通常使用時は絞り駆動手段として用いられるため、２群鏡筒１１を独立して動かす為の別アクチュエータをレンズ鏡筒内に配置する必要が無く、レンズ鏡筒全体の大きさをコンパクトにすることが出来る。また、風車１０ｅのピン部１０ｅ３の先端部、及び、スライド部材１３ｂのＵ溝部１３ｂ１にはそれぞれ面取り形状があり、両者の位置精度がある程度ラフでも沈動時にピン部１０ｅ３をＵ溝部１３ｂ１に嵌合させることが出来る。
【００３９】
なお本実施形態では絞りをクローズ状態にした後、風車１０ｅのピン部１０ｅ３と後部鏡筒側のスライド部材１３ｂとが嵌合して２群鏡筒１１が回転し、沈胴が始まる形態であるが、２群鏡筒１１の移動方向を逆にしてオープン状態で風車１０ｅとスライド部材１３ｂが嵌合し、その後クローズ状態にすることによってレンズが光軸と垂直方向に回転するという形態でも良い。
【００４０】
また本実施形態では光量調節装置９を6枚羽根を駆動する虹彩絞りとしているが、２枚羽根を駆動させるいわゆるギロチンタイプの絞りでその駆動レバーで２群鏡筒１１を光軸方向と垂直に駆動させる形態でもよい。駆動アクチュエータが直結された第１ギア１０ｆが、直接後部鏡筒側のスライド部材１３ｂをスライドさせる構造でもよい。
【００４１】
図２２に撮影状態から沈胴状態へのフローチャート、及び、沈胴状態から撮影状態へのフローチャートを示す。図２２は本実施形態１〜３の全ての場合を説明するものである。沈胴動作１とは光量調節装置１０が光軸方向でＣＣＤ側にに移動し、回転ギア１３ａもしくはスライド部材１３ｂと風車１０ｅが係合するまでのことを言う。繰り出し動作２はその逆の動作のことを言う。沈胴動作２とは２群鏡筒を退避させた後、更に光量調節装置１０を光軸方向でＣＣＤ側に移動させ、２群鏡筒１１がローパスフィルター１１の外側に入り込み、図３の状態で最終の沈胴状態になるまでのことを言う。繰り出し動作１とはその逆の動作のことを言う。
【図面の簡単な説明】
【００４２】
【図１】カメラ全体の斜視図。
【図２】レンズ鏡筒の通常使用時を示す断面図。
【図３】レンズ鏡筒の沈胴時を示す図。
【図４】光量調節装置１０と移動枠１１の詳細を示す図（実施例１）。
【図５】光量調節装置１０と移動枠１１の詳細を示す図（実施例１）。
【図６】光量調節装置１０と移動枠１１の詳細を示す図（実施例１）。
【図７】光量調節装置１０と移動枠１１の詳細を示す図（実施例１）。
【図８】光量調節装置１０と移動枠１１の詳細を示す図（実施例１）。
【図９】光量調節装置１０と移動枠１１の詳細を示す図（実施例１）。
【図１０】光量調節装置１０と移動枠１１の詳細を示す図（実施例２）。
【図１１】光量調節装置１０と移動枠１１の詳細を示す図（実施例２）。
【図１２】光量調節装置１０と移動枠１１の詳細を示す図（実施例２）。
【図１３】光量調節装置１０と移動枠１１の詳細を示す図（実施例２）。
【図１４】光量調節装置１０と移動枠１１の詳細を示す図（実施例２）。
【図１５】光量調節装置１０と移動枠１１の詳細を示す図（実施例２）。
【図１６】光量調節装置１０と移動枠１１の詳細を示す図（実施例３）。
【図１７】光量調節装置１０と移動枠１１の詳細を示す図（実施例３）。
【図１８】光量調節装置１０と移動枠１１の詳細を示す図（実施例３）。
【図１９】光量調節装置１０と移動枠１１の詳細を示す図（実施例３）。
【図２０】光量調節装置１０と移動枠１１の詳細を示す図（実施例３）。
【図２１】光量調節装置１０と移動枠１１の詳細を示す図（実施例３）。
【図２２】撮影状態→沈胴状態、沈胴状態→撮影状態へのフローチャートを示す図（実施例１〜３）。
【図１】
2006039373.tif 000003
【図２】
2006039373.tif 000004
【図３】
2006039373.tif 000005
【図４】
2006039373.tif 000006
【図５】
2006039373.tif 000007
【図６】
2006039373.tif 000008
【図７】
2006039373.tif 000009
【図８】
2006039373.tif 000010
【図９】
2006039373.tif 000011
【図１０】
2006039373.tif 000012
【図１１】
2006039373.tif 000013
【図１２】
2006039373.tif 000014
【図１３】
2006039373.tif 000015
【図１４】
2006039373.tif 000016
【図１５】
2006039373.tif 000017
【図１６】
2006039373.tif 000018
【図１７】
2006039373.tif 000019
【図１８】
2006039373.tif 000020
【図１９】
2006039373.tif 000021
【図２０】
2006039373.tif 000022
【図２１】
2006039373.tif 000023
【図２２】
2006039373.tif 000024